(57)【特許請求の範囲】
【請求項１】
上方に開口した洗浄槽(10)と、この洗浄槽(10)の後部に幅方向に離間して配設した一対の支柱(26,26)に対して昇降可能に支持され、該洗浄槽(10)の上部開口(10a)を被蓋可能なケーシング状の蓋体(12)とを備え、前記蓋体(12)を上昇して上部開口(10a)を開放した状態で、食器(14)を収容した食器ラック(16)の前記洗浄槽(10)に対する出し入れを行なうよう構成した食器洗浄機において、
前記蓋体(12)に形成されて相互に連通する上方に開口する溝状の樋(32a,34a,34a)と、
前記蓋体(12)の後部両端に配設されて上下方向に延在し、前記対応する各支柱(26)に対して前面側が露出する状態で昇降可能に支持されると共に、前記対応する樋(34a,34a)の後端が前面に固定される筒状のガイドレール(36,36)と、
前記ガイドレール(36,36)の前面に形成され、前記樋(34a,34a)と連通する排出孔(36a,36a)と、
前記ガイドレール(36,36)に形成され、前記樋(34a,34a)からガイドレール(36,36)内に流れ込んだ洗浄水やすすぎ水を前記洗浄槽(10)に排出し得る開口とから構成した
ことを特徴とする食器洗浄機の蓋体構造。
【発明の詳細な説明】
【０００１】
【発明の属する技術分野】
この発明は、食器洗浄機の蓋体構造に関し、更に詳細には、ケーシング状の蓋体を洗浄槽の上部開口に対し昇降させて、食器ラックの出し入れを行なうようにした食器洗浄機の蓋体構造に関するものである。
【０００２】
【従来の技術】
飲食に供した後の皿、茶碗、コップ等の食器を自動的に洗浄するための食器洗浄機が、喫茶店やレストラン等の厨房、更には一般家庭にも設置されて、広く好適に使用されるに至っている。この食器洗浄機は、図５に示す如く、上方に全面的に開口する洗浄槽１０に対し、ケーシング状の蓋体１２が昇降可能に配設され、該蓋体１２を下降して洗浄槽１０の上部開口を被蓋(閉成)することで、その内部に洗浄室を画成するようになっている。また、蓋体１２を上昇して上部開口を全開することで、食器１４を収容した食器ラック１６の洗浄槽１０に対する出し入れを行ない得るよう構成される。
【０００３】
前記洗浄槽１０には、前記食器ラック１６が載置されるラックレール(図示せず)が配設されると共に、該ラックレールを挟む上下位置に、温水等の洗浄水を供給する洗浄ノズルおよび洗浄終了後にすすぎ水を供給するすすぎノズル(何れも図示せず)が、夫々水平回転可能に枢支されている。そして、洗浄水やすすぎ水の噴射反力により各ノズルを回転させて、洗浄槽１０に収納した食器ラック１６中の食器１４に、洗浄水やすすぎ水を吹付けて効率的に洗浄およびすすぎを行なうようになっている。
【０００４】
【発明が解決しようとする課題】
前記蓋体１２を昇降させてラック出し入れ用の上部開口を開閉する食器洗浄機においては、洗浄→休止→すすぎの運転サイクルが完了したときに、蓋体１２の内面を伝わって落ちてくる洗浄水やすすぎ水が、該蓋体１２を上昇させた際に洗浄後の食器１４や食器ラック１６に再付着するのを防止するために、図６に示すように、蓋体１２の下部に樋１８を設けている。しかし、洗浄水やすすぎ水を樋１８に溜めておけるのは限られた量であるため、溜った洗浄水やすすぎ水を排出するために、該樋１８の一部に切欠部１８ａを設け、該切欠部１８ａから溜っている洗浄水やすすぎ水を洗浄槽１０内に排出するよう構成している。
【０００５】
前記蓋体１２を上昇して上部開口を全開した状態では、前記樋１８は、ラックレールに載置されている食器ラック１６よりかなり上方に位置するため、運転サイクルが完了(洗浄完了)した直後に、該蓋体１２を上昇させると、樋１８の切欠部１８ａから排出される洗浄水やすすぎ水が、食器１４や食器ラック１６に再付着して汚すおそれがある(図６参照)。しかも、樋１８に溜っている洗浄水やすすぎ水が多ければ、該水が切欠部１８ａから勢いよく飛び出すために、更に食器１４や食器ラック１６に再付着する可能性が高くなる。
【０００６】
おな、前記蓋体１２を下降して洗浄槽１０の上部開口を被蓋している状態では、前記樋１８は食器ラック１６よりも低い位置にあるため、洗浄完了後に所要の時間が経過すれば、蓋体１２内面の洗浄水やすすぎ水は、樋１８の切欠部１８ａを介して食器ラック１６よりも低い所へ排出され、食器１４や食器ラック１６を汚すことはない。しかし、洗浄完了後に蓋体１２を上昇させるまでに所要の遅延時間を設定することは、運転のサイクルタイムが長くなることを意味し、洗浄能力が低下する原因となるため、食器洗浄機の運転頻度が高まる時間帯においては遅延時間を設定し得ないのが実状である。
【０００７】
【発明の目的】
この発明は、前述した従来の技術に内在している前記課題に鑑み、これを好適に解決するべく提案されたものであって、蓋体の内面を伝わる洗浄水やすすぎ水が、洗浄後の食器や食器ラックに再付着するのを防止し得るようにした食器洗浄機の蓋体構造を提供することを目的とする。
【０００８】
【課題を解決するための手段】
前述した課題を克服し、所期の目的を好適に達成するため本発明に係る食器洗浄機の蓋体構造は、
上方に開口した洗浄槽と、この洗浄槽の後部に幅方向に離間して配設した一対の支柱に対して昇降可能に支持され、該洗浄槽の上部開口を被蓋可能なケーシング状の蓋体とを備え、前記蓋体を上昇して上部開口を開放した状態で、食器を収容した食器ラックの前記洗浄槽に対する出し入れを行なうよう構成した食器洗浄機において、
前記蓋体に形成されて相互に連通する上方に開口する溝状の樋と、
前記蓋体の後部両端に配設されて上下方向に延在し、前記対応する各支柱に対して前面側が露出する状態で昇降可能に支持されると共に、前記対応する樋の後端が前面に固定される筒状のガイドレールと、
前記ガイドレールの前面に形成され、前記樋と連通する排出孔と、
前記ガイドレールに形成され、前記樋からガイドレール内に流れ込んだ洗浄水やすすぎ水を前記洗浄槽に排出し得る開口とから構成したことを特徴とする。
【０００９】
【発明の実施の形態】
次に、本発明に係る食器洗浄機の蓋体構造につき、好適な実施例を挙げて、添付図面を参照しながら説明する。なお、図５および図６を参照して従来の技術の項で説明した同一部材には、同じ符号を付して示すこととする。
【００１０】
図１に示す実施例に係る食器洗浄機２０は、上方に開放するキャビネット２２に収納されて上方に全面開口する矩形状の洗浄槽１０と、該洗浄槽１０の上部開口１０ａを上方から被蓋可能で昇降自在なケーシング状の蓋体１２とを基本的に備え、該蓋体１２は洗浄槽１０を被蓋した状態で、その内部に洗浄室を画成するようになっている。洗浄槽１０の内部には、食器１４を収容した食器ラック１６が載置されるラックレール２４が配設されると共に、該ラックレール２４を挟む上下位置に、温水供給源から圧力供給される温水の噴射反力により回転する下部洗浄ノズルおよび洗浄終了後にすすぎ水を供給する下部すすぎノズル(何れも図示せず)が、夫々水平回転自在に配設されている。
【００１１】
前記洗浄槽１０の後部には、図２に示す如く、上下方向に延在する一対の支柱２６,２６が幅方向に離間して平行に配設されており、各支柱２６には複数の案内ローラ２８が回動可能に枢支されている(図１参照)。そして、両支柱２６,２６に沿って、前記蓋体１２が昇降可能に支持されるよう構成される。この蓋体１２は、天板、前板３２および一対の側板３４,３４から構成されて下方および後方に開口するケーシング状を呈し、両側板３４,３４の後端部には、上下方向に延在するガイドレール３６,３６が配設されている。各ガイドレール３６に複数の案内ローラ３８が回動可能に枢支されており、各ガイドレール３６の案内ローラ３８を対応する支柱２６に転動可能に係合すると共に、各支柱２６の案内ローラ２８を対応するガイドレール３６に転動可能に係合することで、蓋体１２は一対の支柱２６,２６に沿って安定的に昇降移動するようになっている。
【００１２】
前記各ガイドレール３６は、図３に示す如く、矩形筒状に形成されると共に下端が開口しており、該下端は、前記蓋体１２の下端から所定長さだけ下方に臨むよう寸法設定されている。すなわち、ガイドレール３６の下端位置は、蓋体１２により洗浄槽１０の上部開口１０ａを被蓋した状態で、前記ラックレール２４に載置されている食器ラック１６の上端より下方に臨むと共に、該蓋体１２を上昇して上部開口１０ａを全開(開放)した状態においては、該食器ラック１６に収容した食器１４の上端よりは下方に臨むよう設定されている。なお、両ガイドレール３６,３６は、図２に示す如く、ラックレール２４に載置されている食器ラック１６より後方外側に位置し、蓋体１２の昇降に際して食器ラック１６から離間する位置を移動するよう構成される。また実施例のガイドレール３６には、食器ラック１６から離間する側面(外側面)に、支柱２６に案内ローラ２８を支持する部位の移動を許容するためのスリット(開口)３０が上下方向に延在するよう形成してある。
【００１３】
前記蓋体１２における前板３２および両側板３４,３４の下端部内側には、上方に開口して相互に連通する溝状の樋３２ａ,３４ａ,３４ａが折曲形成されている。各側板３４の樋３４ａにおける後端は、対応するガイドレール３６の前面に配設固定してある。またガイドレール３６の前面には、図４に示す如く、樋３４ａに連通する排出孔３６ａが形成され、樋３４ａに溜る洗浄水やすすぎ水は、排出孔３６ａを介してガイドレール３６内に導びかれるよう構成される。
【００１４】
【実施例の作用】
次に、実施例に係る食器洗浄機の蓋体構造の作用につき、以下説明する。前記蓋体１２により洗浄槽１０の上部開口１０ａを被蓋している状態で、運転サイクルを開始すると、先ず上下の洗浄ノズルから洗浄水がラックレール２４に載置されている食器ラック１６中の食器１４に向けて噴射供給される。洗浄終了後、所定の休止期間を経て、上下のすすぎノズルからすすぎ水が噴射供給され、食器１４のすすぎが行なわれる。
【００１５】
前記運転サイクルの完了(洗浄完了)後、前記蓋体１２を上昇して前記洗浄槽１０の上部開口１０ａを全開することで、洗浄後の食器１４を食器ラック１６と共に取出す。この場合に、運転サイクルにおいて蓋体１２の内面に付着した洗浄水やすすぎ水は、その内面を伝って各樋３２ａ,３４ａ,３４ａに受止められ、各ガイドレール３６に向けて流れる(図４参照)。これらの洗浄水やすすぎ水は、ガイドレール３６の排出孔３６ａからレール内に導びかれ、該ガイドレール３６の下端から洗浄槽１０内に排出される。
【００１６】
前述したように、ガイドレール３６の下端位置は、蓋体１２を上昇して上部開口１０ａを全開した状態でも、前記食器ラック１６に収容した食器１４の上端よりは下方に臨んでいる。しかも、ガイドレール３６内を流下する洗浄水やすすぎ水は、図３に示す如く、該レール３６の真下に落下するので、ガイドレール３６の下端から排出される洗浄水やすすぎ水が、食器１４や食器ラック１６に再付着するのは抑制される。すなわち、洗浄完了後、直ぐに蓋体１２を上昇して食器ラック１６の出し入れを行なっても、洗浄後の食器１４や食器ラック１６に洗浄水やすすぎ水が再付着するのを防止し得るから、運転頻度が高い時間帯におけるサイクルタイムの短縮が可能で、洗浄能力が向上する。また、前記樋３４ａに切欠部を設けることなく、その後端の全面を対応するガイドレール３６に当接状態で配設固定してあるから、蓋体１２とガイドレール３６,３６との接合部強度が向上する。
【００１７】
なお、前記ガイドレールの下端位置は、蓋体を上昇して上部開口を全開した状態で、ラックレールに載置されている食器ラックの上端より下方に臨むようにしてもよい。またガイドレールは、蓋体の樋を介して流れ込んだ洗浄水やすすぎ水を排出し得る開口を有していればよく、下端が開口していなくても適宜位置の側面が開口していればよい。更に、蓋体に形成される樋についても、その形成位置は下端に限定されるものでなく、下端より上方位置であってもよい。
【００１８】
【発明の効果】
以上に述べた如く、本発明に係る食器洗浄機の蓋体構造によれば、洗浄完了後、直ぐに蓋体を上昇しても、樋から排出される洗浄水やすすぎ水が洗浄後の食器や食器ラックに再付着するのを防止し得る。すなわち、食器洗浄機の運転頻度が高いときでも、短かいサイクルタイムで運転することができ、洗浄能力が低下するのを抑制し得る。
【図面の簡単な説明】
【図１】  本発明の実施例に係る食器洗浄機の要部を縦断して示す側面図である。
【図２】  実施例に係る食器洗浄機の要部を横断して示す平面図である。
【図３】  実施例に係るガイドレールと食器との関係を示す説明側面図である。
【図４】  実施例に係る蓋体の樋、ガイドレールおよび食器ラックに収容した食器との関係を示す概略斜視図である。
【図５】  従来の技術に係る食器洗浄機の要部概略斜視図である。
【図６】  従来の技術に係る蓋体の樋と食器ラックに収容した食器との関係を示す概略斜視図である。
【符号の説明】
１０ 洗浄槽，１０ａ 上部開口，１２ 蓋体，１４ 食器，１６ 食器ラック，  ２６ 支柱，３２ａ 樋，３４ａ 樋，３６ ガイドレール，３６ａ 排出孔
【図１】
0003699326.tif 000002
【図２】
0003699326.tif 000003
【図３】
0003699326.tif 000004
【図４】
0003699326.tif 000005
【図５】
0003699326.tif 000006
【図６】
0003699326.tif 000007